(57)【要約】【課題】焦点距離を変更しながら行った一連の撮影で得られる画像群の画角変化をわかりやすく記録する電子カメラを得る。【解決手段】電子カメラは、撮影画像が連続の写真の１コマ目の場合、１６０×１２０のピクセルの全てを用いて撮影画像を表すように副画像データを生成する（ａ）。電子カメラは、撮影画像が連続の写真の２コマ目の場合、前コマの撮影時からの焦点距離の変更に応じて１６０×１２０ピクセルより小さなデータサイズで撮影画像（縮小画像）を表し、縮小画像と所定色のデータとで副画像データを生成する（ｂ）。電子カメラは、撮影画像が連続の写真の３コマ目の場合、前コマの撮影時からの焦点距離の変更に応じて１６０×１２０ピクセルよりさらに小さなデータサイズで撮影画像（縮小画像）を表し、縮小画像と所定色のデータとで副画像データを生成する（ｃ）。【選択図】図２
2005012517.tif 000002
【特許請求の範囲】
【請求項１】
被写体像を撮像して撮像信号を出力する撮像装置と、
撮影画像を表す主画像データを前記撮像信号を用いて生成する主画像データ生成手段と、
前記主画像データより小さな第１のデータサイズで撮影画像を表す副画像データを前記撮像信号を用いて生成する副画像データ生成手段と、
前記撮像時の撮影レンズの焦点距離に応じて前記第１のデータサイズを変更して第２のデータサイズで撮影画像を表すように前記副画像データ生成手段に指示する副画像データサイズ制御手段と、
少なくとも前記主画像データおよび前記副画像データをそれぞれ含めて画像データファイルを生成するデータファイル生成手段とを備えることを特徴とする電子カメラ。
【請求項２】
請求項１に記載の電子カメラにおいて、
前記副画像データサイズ制御手段は、前記焦点距離が所定値より長いとき、前記第２のデータサイズ＜前記第１のデータサイズとし、前記焦点距離が前記所定値より短いとき、前記第２のデータサイズ＞前記第１のデータサイズとするように、前記副画像データ生成手段に指示することを特徴とする電子カメラ。
【請求項３】
請求項１または２に記載の電子カメラにおいて、
前記撮影レンズの焦点距離を変更しながら複数コマが撮像されたことを示す情報を生成する画像群情報生成手段をさらに備え、
データファイル生成手段は、前記複数コマに対応する画像データファイルのそれぞれに、前記画像群情報生成手段による情報をさらに含めて画像データファイルを生成することを特徴とする電子カメラ。
【請求項４】
撮影画像を表す主画像データと、前記主画像データより小さな第１のデータサイズで撮影画像を表す副画像データと、撮影時の撮影レンズの焦点距離を示す情報とを含む画像データファイルによる副画像を表示装置に表示するための副画像表示用プログラムにおいて、
前記画像データファイルから前記焦点距離を示す情報を読み出す処理と、
前記画像データファイルから副画像データを読み出す処理と、
前記読み出し情報が示す焦点距離に応じて、前記副画像データのデータサイズを前記第１のデータサイズから第２のデータサイズに変更する処理と、
前記第２のデータサイズで前記副画像を表示するための画像信号を生成する処理とをコンピュータで実行することを特徴とする副画像表示用プログラム。
【請求項５】
請求項４に記載の副画像表示用プログラムにおいて、
前記表示のための画像信号生成処理は、複数コマに対応して複数存在する前記画像データファイルのそれぞれに含まれている副画像データについてそれぞれ行い、
データサイズがそれぞれ変更された後の複数の副画像を前記表示装置に一覧表示する処理をさらに実行することを特徴とする副画像表示用プログラム。
【請求項６】
請求項４または５に記載の副画像表示用プログラムにおいて、
前記表示のための画像信号生成処理は、前記読み出し情報が示す焦点距離が所定値より長いとき、前記第２のデータサイズ＜前記第１のデータサイズとし、前記焦点距離が前記所定値より短いとき、前記第２のデータサイズ＞前記第１のデータサイズとするように画像信号を生成することを特徴とする副画像表示用プログラム。
【発明の詳細な説明】
【０００１】
【発明の属する技術分野】
本発明は、撮像装置によって被写体像を撮像する電子カメラ、およびこの電子カメラで生成された画像データファイルの副画像を表示するプログラムに関する。
【０００２】
【従来の技術】
撮影条件の少なくとも１つを変更しながら複数回の撮影を行い、これら一連の撮影によって得られた画像群を取り扱う技術が知られている（特許文献１参照）。特許文献１には、撮影された画像群の一覧表示を行うとき、一連の撮影による画像群を構成する各画像に対し、基準の撮影条件からの変更内容を示す表示を行うことが開示されている。
【０００３】
【特許文献１】
特開２００１−２８５７７９号公報
【０００４】
【発明が解決しようとする課題】
一連の撮影時に変更する撮影条件が焦点距離の場合、焦点距離に応じて撮影画角が変化する。特許文献１に開示されている一覧表示では、画像群を構成する各画像がすべて同一の画像サイズで表示されるので、基準の焦点距離からの変更内容を示す表示が行われたとしても、一覧表示の観察者は、一覧表示されている画像群から実際の画角変化を得ることが困難である。とくに、一覧表示が縮小画像で行われる場合には、ズームアップによって主要被写体が大きく撮影された場合と、主要被写体に近づいて被写体が大きく撮影された場合との区別がつきにくく問題になりやすい。
【０００５】
本発明は、焦点距離を変更しながら撮影した画像群の画角変化をわかりやすく記録する電子カメラ、および画像群の画角変化をわかりやすく表示する画像データファイルの副画像表示用プログラムを提供するものである。
【０００６】
【課題を解決するための手段】
本発明による電子カメラは、被写体像を撮像して撮像信号を出力する撮像装置と、撮影画像を表す主画像データを撮像信号を用いて生成する主画像データ生成手段と、主画像データより小さな第１のデータサイズで撮影画像を表す副画像データを撮像信号を用いて生成する副画像データ生成手段と、撮像時の撮影レンズの焦点距離に応じて第１のデータサイズを変更して第２のデータサイズで撮影画像を表すように、副画像データ生成手段に指示する副画像データサイズ制御手段と、少なくとも主画像データおよび副画像データをそれぞれ含めて画像データファイルを生成するデータファイル生成手段とを備えることを特徴とする。
副画像データサイズ制御手段は、焦点距離が所定値より長いとき、第２のデータサイズ＜第１のデータサイズとし、焦点距離が所定値より短いとき、第２のデータサイズ＞第１のデータサイズとするように副画像データ生成手段に指示することもできる。
上記電子カメラはさらに、撮影レンズの焦点距離を変更しながら複数コマが撮像されたことを示す情報を生成する画像群情報生成手段を備えてもよい。この場合のデータファイル生成手段は、複数コマに対応する画像データファイルのそれぞれに、画像群情報生成手段による情報をさらに含めて画像データファイルを生成することもできる。
本発明による副画像表示用プログラムは、撮影画像を表す主画像データと、主画像データより小さな第１のデータサイズで撮影画像を表す副画像データと、撮影時の撮影レンズの焦点距離を示す情報とを含む画像データファイルによる副画像を表示装置に表示するためのプログラムに適用される。そして、画像データファイルから焦点距離を示す情報を読み出す処理と、画像データファイルから副画像データを読み出す処理と、読み出し情報が示す焦点距離に応じて、副画像データのデータサイズを第１のデータサイズから第２のデータサイズに変更する処理と、第２のデータサイズで副画像を表示するための画像信号を生成する処理とをコンピュータで実行することを特徴とする。
上記副画像表示用プログラムの表示のための画像信号生成処理は、複数コマに対応して複数存在する画像データファイルのそれぞれに含まれている副画像データについてそれぞれ行ってもよい。この場合の副画像表示用プログラムさらに、データサイズがそれぞれ変更された後の複数の副画像を表示装置に一覧表示する処理を実行することもできる。
上記表示のための画像信号生成処理は、読み出し情報が示す焦点距離が所定値より長いとき、第２のデータサイズ＜第１のデータサイズとし、焦点距離が所定値より短いとき、第２のデータサイズ＞第１のデータサイズとするように画像信号を生成することもできる。
【０００７】
【発明の実施の形態】
以下、図面を参照して本発明の実施の形態を説明する。
（第一の実施の形態）
図１は、本発明の第一の実施の形態による電子カメラの概要を説明するブロック図である。電子カメラは、撮像素子１１と、Ａ／Ｄ変換回路１２と、画像処理回路１３と、タイミング発生回路１４と、ＣＰＵ１５と、ＲＡＭ１６と、フラッシュメモリ１７と、操作部材１８と、表示回路２０と、ＬＣＤモニタ２１とを有する。記録媒体１９は、メモリカードなどによって構成され、電子カメラに対して着脱可能にされている。
【０００８】
ＣＰＵ１５は、電子カメラの動作を制御する。電子カメラは、撮影した画像データを記録媒体１９に記録する撮影モードと、記録媒体１９に記録されている画像データによる画像をＬＣＤモニタ２１に再生表示する再生モードとを有する。撮影モードおよび再生モードの切替えは、操作部材１８のうちモード切替えスイッチ（不図示）の操作によって行う。
【０００９】
−撮影モード−
撮影者がモード切替えスイッチを撮影モード側に操作すると、モード切替えスイッチからＣＰＵ１５へモード切替え操作信号が送られる。ＣＰＵ１５は、電子カメラを撮影モードに切り替える。撮影者が操作部材１８を構成するレリーズボタン（不図示）を操作すると、操作部材１８がレリーズ操作信号をＣＰＵ１５へ出力する。ＣＰＵ１５は、レリーズ操作信号が入力されると電子カメラに撮影動作を開始させる。撮像素子１１は、撮像面上に結像された被写体像の明るさに応じて信号電荷を蓄積する。撮像素子１１に蓄積された信号電荷は、タイミング発生回路１４によるタイミング信号によって吐き出され、Ａ／Ｄ変換回路１２でアナログ撮像信号からディジタル信号に変換される。ディジタル変換された信号は画像処理回路１３に導かれ、輪郭補償やガンマ補正、色温度調整などの所定の画像処理が行われる。画像処理後のデータは、ＲＡＭ１６に一時格納される。
【００１０】
画像処理回路１３は、ＲＡＭ１６に格納されている画像データをＪＰＥＧなどの方式で所定の比率にデータ圧縮し、主画像データを生成してＲＡＭ１６に格納する。画像処理回路１３はさらに、主画像データよりデータサイズが小さい副画像データを生成してＲＡＭ１６に格納する。ＣＰＵ１５は、ＲＡＭ１６内の画像データおよび画像データの情報などをＴＩＦＦ形式のファイルデータにフォーマット変換し、ＴＩＦＦ形式のデータおよびＪＰＥＧ形式のデータをＥｘｉｆファイルとして記録媒体１９へ記録する。画像データの情報には、当該画像の撮影時の焦点距離、レンズ情報などを示す情報と、当該画像が一連の画像であるか否かを示すフラグ情報とが含まれている。
【００１１】
撮影時の焦点距離を示す情報は、電子カメラに装填されているレンズがズームレンズのとき、当該ズームレンズに設定されている焦点距離（たとえば、「８５ｍｍ」）を示す。装填レンズが単焦点レンズのとき、当該レンズの焦点距離を示す。レンズ情報は、電子カメラに装填されているレンズがズームレンズのとき、焦点距離の範囲（たとえば、「３０−２００ｍｍ」）を示し、装填レンズが単焦点レンズのとき、当該レンズの焦点距離を示す。
【００１２】
一連の画像とは、撮影条件の少なくとも１つを変更しながら複数回の撮影を行うブラケティング撮影によって得られる複数コマの画像である。当該画像が一連の画像であるとき、当該画像がブラケティング撮影による「連続の写真」の１コマを構成する。本実施の形態では、前コマの撮影条件から焦点距離を同一方向に変更して撮影することにより、一連の画像を得る。同一方向は、ズームアップを続ける場合、もしくはズームダウンを続ける場合である。当該画像が一連の画像でない場合、当該画像は「新規の写真」を構成する。「新規の写真」は、ブラケティング撮影でない単コマ撮影画像である。
【００１３】
フラッシュメモリ１７には、ＣＰＵ１５が実行するプログラムが格納される。フラッシュメモリ１７に格納されるプログラムは、たとえば、アップグレードの場合に書き換え可能に構成されている。ＲＡＭ１６は、上述した画像データの一時的な格納や、ＣＰＵ１５による作業領域として使用される。
【００１４】
第一の実施の形態は、上述した電子カメラが一連の画像（すなわち、連続の写真）に対応する画像データファイルを生成する際に、前コマの撮影時からの焦点距離の変更に応じて縮小処理した画像を用いて副画像を生成する点に特徴を有する。
【００１５】
図２（ａ）は、副画像データによる再生画像の例を示す図である。この副画像データは通常、たとえば、１６０×１２０ピクセルのデータサイズで撮影画像を表すサムネイル画像データが対応する。電子カメラは、当該画像が新規の写真の場合（連続の写真の１コマ目の場合を含む）に、図２（ａ）のように１６０×１２０のピクセルの全てを用いて撮影画像を表すように副画像データを生成する。
【００１６】
図２（ｂ）は、当該画像が連続の写真の２コマ目の場合の副画像データによる再生画像の例を示す図である。電子カメラは、前コマの撮影時からの焦点距離の変更（たとえば、ズームアップ）に応じて１６０×１２０ピクセルより小さなデータサイズで撮影画像（縮小画像と呼ぶ）を表し、この縮小画像と所定色のデータ（図２の例では黒色の枠）とで１６０×１２０のピクセルの副画像データを生成する。図２（ａ）の画像は焦点距離３０ｍｍで撮影された画像の例であり、図２（ｂ）の画像は焦点距離８０ｍｍで撮影された画像の例である。図２（ｂ）における縮小画像は、連続の写真の１コマ目の画角に比べて、２コマ目（当該画像）の画角が狭くなっていることを示す。
【００１７】
図２（ｃ）は、当該画像が連続の写真の３コマ目の場合の副画像データによる再生画像の例を示す図である。電子カメラは、前コマの撮影時からの焦点距離の変更に応じてさらに小さなデータサイズで撮影画像（縮小画像）を表し、この縮小画像と所定色のデータとで１６０×１２０のピクセルの副画像データを生成する。図２（ｃ）の画像は焦点距離２００ｍｍで撮影された画像の例である。図２（ｃ）における縮小画像は、連続の写真の２コマ目の画角に比べて、３コマ目（当該画像）の画角がさらに狭くなっていることを示す。
【００１８】
図３は、ＣＰＵ１５によって行われる撮影処理の流れを説明するフローチャートである。図３による処理は、電子カメラのメインスイッチがオンされ、撮影モードにされると起動する。図３のステップＳ１において、ＣＰＵ１５は、電子カメラの電源がオンされているか否かを判定する。ＣＰＵ１５は、電源オンされている場合にステップＳ１を肯定判定してステップＳ２へ進み、電源オフ操作されるとステップＳ１を否定判定し、図３による処理を終了する。
【００１９】
ステップＳ２において、ＣＰＵ１５はレンズ装填チェック処理を行ってステップＳ３へ進む。ステップＳ３において、ＣＰＵ１５は、電子カメラに撮影レンズ（不図示）が装填されているか否かを判定する。ＣＰＵ１５は、レンズ装填済みの場合にステップＳ３を肯定判定してステップＳ４へ進み、レンズ非装填の場合にステップＳ３を否定判定してステップＳ２へ戻る。
【００２０】
ステップＳ４において、ＣＰＵ１５は、電子カメラに装填されているレンズ（不図示）からレンズ情報を取得してステップＳ５へ進む。上述したように、レンズ情報は装填レンズで設定可能な焦点距離の範囲を含む。ステップＳ５において、ＣＰＵ１５は、撮影実施か否かを判定する。ＣＰＵ１５は、操作部材１８からレリーズ操作信号が入力されるとステップＳ５を肯定判定してステップＳ６へ進み、レリーズ操作信号が入力されない場合にステップＳ５を否定判定し、当該判定処理を繰り返す。
【００２１】
ステップＳ６において、ＣＰＵ１５は、撮影時の実焦点距離の情報を取得してステップＳ７へ進む。実焦点距離の情報は、撮影時に装填レンズに設定されている焦点距離を示す情報である。ステップＳ７において、ＣＰＵ１５は、撮影した画像データを記録媒体１９に記録する処理を行ってステップＳ１へ戻る。
【００２２】
ステップＳ７の処理の詳細について説明する。ＣＰＵ１５は、ステップＳ６で得た実焦点距離が前コマ撮影時の実焦点距離から同一の向きにズームアップもしくは同一の向きにズームダウンされている場合に、当該コマの画像は一連の画像（連続の写真）を構成すると判定し、当該画像が一連の画像であることを示すフラグ情報を上述したＥｘｉｆファイルに含める。ＣＰＵ１５はさらに、前コマ撮影時からの焦点距離変更に応じたサイズで撮影画像を表すように生成した縮小画像を含む副画像データと、主画像データとをＥｘｉｆファイルに含めて記録媒体１９に記録する。また、前コマのＥｘｉｆファイルについて、前コマの画像が一連の画像であることを示すフラグ情報に変更する。
【００２３】
一方、ＣＰＵ１５は、ステップＳ６で得た実焦点距離が前コマ撮影時の実焦点距離から同一の向きにズームアップされておらず、同一の向きにズームダウンされてもいない場合に、当該コマの画像は一連の画像（連続の写真）を構成しない（新規の写真）と判定し、当該画像が一連の画像でないことを示すフラグ情報を上述したＥｘｉｆファイルに含める。ＣＰＵ１５はさらに、１６０×１２０のピクセルの全てを用いて撮影画像を表すように生成した副画像データと、主画像データとをＥｘｉｆファイルに含めて記録媒体１９に記録する。なお、ＣＰＵ１５は、前コマ撮影時の実焦点距離がテレ端もしくはワイド端の場合は前コマが一連の画像の最終コマであり、当該コマは新規の写真とみなす。
【００２４】
−再生モード−
撮影者が操作部材を構成するモード切替えスイッチ（不図示）を再生モード側に操作すると、モード切替えスイッチからＣＰＵ１５へモード切替え操作信号が送られる。ＣＰＵ１５は、電子カメラを再生モードに切り替え、記録媒体１９に記録されている画像データファイルから副画像データを読出し、当該副画像をＬＣＤモニタ２１に表示するように表示回路２０へ指令を出力する。表示回路２０は、副画像データを用いて副画像表示用の画像信号を生成し、ＬＣＤモニタ２１へ出力する。これにより、ＬＣＤモニタ２１が図２（ａ）〜図２（ｃ）に示した副画像を再生表示する。
【００２５】
電子カメラが再生モードに切替え操作されてから最初にＬＣＤモニタ２１に表示する副画像は、記録媒体１９に記録されている画像データファイルのうち、撮像日時が最新のコマに対応する副画像とする。表示する副画像のコマを切替えるには、撮影者が上述した十字スイッチ（不図示）を操作して選択する。ＣＰＵ１５は、十字スイッチが左向きに操作されると、現在表示中の副画像に対応するコマより１つ前のコマに対応する副画像をＬＣＤモニタ２１に表示させる。ＣＰＵ１５は、十字スイッチが右向きに操作されると、現在表示中の副画像に対応するコマより１つ後のコマに対応する副画像をＬＣＤモニタ２１に表示させる。
【００２６】
以上説明した第一の実施の形態によれば、次の作用効果が得られる。
（１）電子カメラは、撮影時に取得した（ステップＳ６）実焦点距離が前コマ撮影時の実焦点距離から同一の向きにズームアップもしくは同一の向きにズームダウンされている場合に、当該コマの画像が連続の写真を構成することを示すフラグ情報をＥｘｉｆファイルに含めて記録媒体１９に記録するようにした。これにより、Ｅｘｉｆファイルのフラグを読み出してチェックするだけで、当該コマの画像がブラケティング撮影による連続の写真（一連の画像）に含まれるか否かを判定できる。
【００２７】
（２）電子カメラは、当該コマの画像が連続の写真を構成するとき、前コマ撮影時からの焦点距離変更に応じたデータサイズで生成した縮小画像を含む副画像データを生成し、主画像データとともにＥｘｉｆファイルに含めて記録媒体１９に記録するようにした。これにより、Ｅｘｉｆファイルの副画像データのみを読み出して再生表示する（図２（ｂ）および図２（ｃ））場合に、各コマの画角変化をわかりやすく表示できる。
【００２８】
上記（２）についてさらに詳細に説明する。図４（ａ）は、従来技術による電子カメラでズームアップ撮影（焦点距離８０ｍｍ）した連続の写真の２コマ目の副画像データによる再生画像の例を示す図である。図４（ａ）において、１６０×１２０ピクセルの全てを用いて撮影画像を表すように副画像が生成され、図２（ｂ）のような黒い枠は副画像データに含まれない。したがって、図４（ａ）による再生画像では、図２（ａ）に示す１コマ目の副画像データによる再生画像（焦点距離３０ｍｍ）に対する画角変化が不明なので、ズームアップ撮影（焦点距離８０ｍｍ）した画像か、あるいは、焦点距離３０ｍｍのままで被写体に近づいて（撮影距離を短縮して）撮影した画像かを区別することが困難である。とくに、副画像による再生画像はもともと主画像に比べて情報量が少ない（データサイズが小さい）ので区別が難しい。
【００２９】
同様に、図４（ｂ）は、従来技術による電子カメラでズームアップ撮影（焦点距離２００ｍｍ）した連続の写真の３コマ目の副画像データによる再生画像の例を示す図である。図４（ｂ）において、１６０×１２０ピクセルの全てを用いて撮影画像を表すように副画像が生成され、図２（ｃ）のような黒い枠は副画像データに含まれない。したがって、図４（ｂ）による再生画像では、図２（ａ）に示す再生画像（焦点距離３０ｍｍ）に対してズームアップ撮影（焦点距離２００ｍｍ）した画像か、あるいは、焦点距離３０ｍｍのままで被写体に近づいて（撮影距離を短縮して）撮影した画像かを区別することが困難である。
【００３０】
しかしながら、図２（ｂ）および図２（ｃ）のように、焦点距離変更に応じたデータサイズで生成した縮小画像を含めた再生表示が行えるように副画像データを生成することで、連続の写真が焦点距離の変更によって撮影された一連の画像群であることをわかりやすく表示できる。
【００３１】
（３）電子カメラは、前コマ撮影時からの焦点距離の変更（ズームアップ）に応じて１６０×１２０ピクセルより小さなデータサイズで撮影画像（縮小画像）を表し、この縮小画像と所定色のデータ（図２の黒色の枠）とで１６０×１２０のピクセルの副画像データを生成するようにしたので、縮小画像のデータサイズにかかわらず副画像データサイズを一定（１６０×１２０）に保つことができる。この結果、一定サイズの副画像データによる画像の再生表示しか行うことができない他の電子カメラや副画像表示装置などに、本実施の形態による電子カメラで撮影・記録した副画像を再生表示させることができる。
【００３２】
以上の説明では、連続の写真の１コマ目の場合に、図２（ａ）のように１６０×１２０のピクセルの全てを用いて撮影画像を表すように副画像データを生成した。この代わりに、１６０×１２０ピクセルの全てを用いて撮影画像を表す条件をあらかじめ電子カメラにプリセットしておいてもよい。たとえば、焦点距離５０ｍｍをプリセットしておく場合、撮影時に取得した実焦点距離が５０ｍｍの場合に１６０×１２０ピクセルの全てを用いて撮影画像を表すように副画像データを生成する。他の焦点距離の場合は、焦点距離５０ｍｍからの増減に応じて副画像データに含める縮小画像のデータサイズを変化させる。
【００３３】
また、装填されている撮影ズームレンズの焦点距離の範囲（たとえば、「３０−２００ｍｍ」）により、最も画角が広い焦点距離３０ｍｍをプリセットするようにしてもよい。この場合、撮影時に取得した実焦点距離が３０ｍｍの場合に１６０×１２０ピクセルの全てを用いて撮影画像を表すように副画像データを生成する。これにより、連続の写真の１コマ目に対して次コマ以降にズームダウンする場合（１コマ目が焦点距離２００ｍｍ、２コマ目が焦点距離８０ｍｍ、３コマ目が焦点距離３０ｍｍ）に、図２（ｃ）、図２（ｂ）、図２（ａ）の順に副画像データを生成することが可能になる。
【００３４】
実焦点距離が所定の値以上のとき、副画像データに含める縮小画像のデータサイズを変更する割合を変えたり、データサイズを一定値に固定してもよい。前コマ撮影時からの焦点距離変更に応じて縮小画像のデータサイズを小さくし続けると、縮小画像が小さくなり過ぎることにより、表示画像の内容がわかりにくくなる。そこで、たとえば、焦点距離２００ｍｍ以上の場合には縮小画像のデータサイズを一定にする。これにより、縮小画像が小さくなり過ぎることや、表示させた副画像の黒い枠が目立ち過ぎることを防止できる。
【００３５】
（第二の実施の形態）
Ｅｘｉｆファイルを記録するフォルダを焦点距離ごとに異なるフォルダに分けるようにしてもよい。
【００３６】
図５は、データファイルを記録するフォルダ構造を説明する図である。図５において、ルートディレクトリ「ＲＯＯＴ」の下に「ＤＣＩＭ」というフォルダが生成され、フォルダ「ＤＣＩＭ」の下に、たとえば、「１００＿ＦＬ０３０」、「１０１＿ＦＬ０８０」、「１０２＿ＦＬ２００」、および「１０３＿ＦＬＡＮＹ」というフォルダが生成されている。
【００３７】
フォルダ「１００＿ＦＬ０３０」は、焦点距離３０ｍｍで撮影された画像のデータファイルを記録するためのフォルダである。同様に、フォルダ「１０１＿ＦＬ０８０」は、焦点距離８０ｍｍで撮影された画像のデータファイルを記録するためのフォルダ、フォルダ「１０２＿ＦＬ２００」は、焦点距離２００ｍｍで撮影された画像のデータファイルを記録するためのフォルダである。また、フォルダ「１０３＿ＦＬＡＮＹ」は、任意の焦点で撮影された画像のデータファイルを記録するためのフォルダである。
【００３８】
このように焦点距離ごとに画像データを格納するフォルダを分けることによっても、ズームアップして撮影した画像か、あるいは、焦点距離を変えずに被写体に近づいて撮影した画像かを、当該画像データが格納されているフォルダ名によって判定することが可能になる。
【００３９】
なお、焦点距離ごとのフォルダの生成処理は、あらかじめ図３による記録処理と別に行われる。
【００４０】
（第三の実施の形態）
第一の実施の形態による電子カメラでは、焦点距離を変更してブラケティング撮影を行う場合に、前コマ撮影時からの焦点距離変更に応じたデータサイズで生成した縮小画像を含めて副画像データを生成することにより、図２（ｂ）および図２（ｃ）のような再生表示を行うようにした。この代わりに、副画像データの再生表示時に、前コマ撮影時からの焦点距離変更に応じて再生表示時のデータサイズを変更することにより、図２（ｂ）および図２（ｃ）のような再生表示を行ってもよい。この場合には、記録媒体１９内に格納されているＥｘｉｆファイル内の副画像データは、図４（ａ）および図４（ｂ）のように１６０×１２０ピクセルの全てを用いて一定のデータサイズで撮影画像を表すように生成されたものでよい。
【００４１】
再生表示は、電子カメラを再生モードに切り替えて電子カメラで行ってもよいし、電子カメラで記録媒体１９に格納された画像データをパソコンなどに取り込んでパソコンのモニタ画面に表示させてもよい。本説明では、パソコンに副画像データによる再生表示を行わせる例を説明する。記録媒体１９に記録されたファイル内の副画像データによる副画像を再生表示する副画像表示用プログラムを用意し、このプログラムをコンピュータ装置などに取込んで副画像表示装置として使用する。プログラムをコンピュータのデータストレージ装置にローディングした上で実行させることにより、副画像表示装置を提供できる。プログラムのローディングは、プログラムが格納された記録媒体をコンピュータにセットして行ってもよいし、ネットワークなどの電気通信回線を経由する方法でもよい。
【００４２】
図６は、パソコン（不図示）のＣＰＵによって行われる表示処理の流れを説明するフローチャートである。図６による処理は、画像データファイルの副画像表示用プログラムが実行されることにより起動する。図６のステップＳ１１において、ＣＰＵは、副画像データによる画像（サムネイル画像）を一覧表示する指示が行われたか否かを判定する。ＣＰＵは、表示を指示するキー操作が行われた場合にステップＳ１１を肯定判定してステップＳ１２へ進み、表示を指示するキー操作が行われない場合はステップＳ１１を否定判定し、図６による処理を終了する。
【００４３】
ステップＳ１２において、ＣＰＵは、一覧表示する画像データファイルのリストアップ処理を行ってステップＳ１３へ進む。ステップＳ１３において、ＣＰＵは、リストアップした全てのファイルの副画像データによる再生画像を表示済みか否かを判定する。ＣＰＵは、全てのファイルについて表示済みの場合にステップＳ１３を肯定判定して図６による処理を終了し、全てのファイルについて表示が終了していない場合にステップＳ１３を否定判定し、ステップＳ１４へ進む。
【００４４】
ステップＳ１４において、ＣＰＵは、記録媒体１９からリストアップされているｘ番目のファイルの副画像データを取得してステップＳ１５へ進む。ｘの値の初期値は１であり、ＣＰＵは、再生画像を１画像表示するごとにｘの値を１つ進める。ステップＳ１５において、ＣＰＵは、上記ｘ番目のファイルから撮影時の焦点距離およびレンズ情報を示す情報をそれぞれ取得してステップＳ１６へ進む。
【００４５】
ステップＳ１６において、ＣＰＵは、ｘ番目の副画像データによる再生画像をモニタ画面に表示させる。ＣＰＵは、ｘ番目のファイルによる画像が新規の写真の場合（連続の写真の１コマ目の場合を含む）に、通常の副画像表示サイズの全てを用いて副画像を表すように表示データを生成する。この場合にモニタ画面に表示される画像は図２（ａ）と同様である。
【００４６】
ＣＰＵは、ｘ番目のファイルによる画像が連続の写真を構成するとき、（ｘ−１）番目のファイルの画像撮影時からの焦点距離変更（たとえば、ズームアップ）に応じて通常の副画像表示サイズより小さなデータサイズで副画像（縮小画像と呼ぶ）を表し、この縮小画像と所定色のデータ（図２の例では黒色の枠）とで通常の副画像表示サイズの表示データを生成する。この場合にモニタ画面に表示される画像は図２（ｂ）と同様である。
【００４７】
モニタ画面には、連続の写真の（ｘ−１）番目のファイルによる副画像の画角に比べて、ｘ番目のファイル（当該ファイル）による副画像の画角が狭く表示される。ＣＰＵは、ｘ番目のファイルによる副画像表示を終了するとステップＳ１３へ戻る。以降同様に、一覧表示用にリストアップされている全てのファイルについての副画像表示を終了するまで副画像表示を繰り返す。
【００４８】
以上説明したように第三の実施の形態によれば、図２（ｂ）および図２（ｃ）のような副画像表示を行うように表示データを生成することで、連続の写真における各コマの画角変化をわかりやすく表示できる上に、一連の画像群であることををわかりやすく表示できる。
【００４９】
上述した説明によって一覧表示を行ったモニタ画面には、たとえば、図２（ａ）〜図２（ｃ）に示す副画像が並べて表示される。この代わりに、図７（ａ）もしくは図７（ｂ）に示すように、所定色のデータ部分を重ねて表示するようにしてもよい。所定色部分を重ねて表示することにより、表示モニタの表示スペースを節約することができ、より多くの他の副画像を表示モニタに表示することが可能になる。
【００５０】
所定色のデータ部分は黒以外の他の色を用いるようにしてもよく、所定色のデータ部分には、模様や文字、記号などの情報を表示させるようにしてもよい。
【００５１】
以上の説明では、一連の撮影による連続の写真が焦点距離を変更して撮影される例を説明した。この代わりに、連続の写真が主要被写体までの撮影距離を変更して撮影される場合にも本発明を適用してよい。この場合には、撮影時に焦点検出（ＡＦ）処理によって取得される撮影距離の情報をＥｘｉｆファイルに含めるようにする。電子カメラは、撮影距離に応じて通常のデータサイズより小さなデータサイズで副画像（縮小画像と呼ぶ）を表し、この縮小画像と所定色のデータ（図２の例では黒色の枠）とで通常のデータサイズ（たとえば、１６０×１２０）の副画像データを生成する。
【００５２】
特許請求の範囲における各構成要素と、発明の実施の形態における各構成要素との対応について説明する。撮像装置は、たとえば、撮像素子１１によって構成される。主画像データ生成手段および副画像データ生成手段は、たとえば、画像処理回路１３およびＣＰＵ１５によって構成される。第１のデータサイズは、たとえば、１６０×１２０ピクセルが対応する。副画像データサイズ制御手段、データファイル生成手段および画像群情報生成手段は、たとえば、ＣＰＵ１５によって構成される。画像データファイルは、たとえば、Ｅｘｉｆファイルが対応する。なお、本発明の特徴的な機能を損なわない限り、各構成要素は上記構成に限定されるものではない。
【００５３】
【発明の効果】
本発明によれば、焦点距離を変更しながら撮影した画像群の画角変化をわかりやすく記録する電子カメラ、および画像群の画角変化をわかりやすく表示する副画像表示用プログラムが得られる。
【図面の簡単な説明】
【図１】本発明の第一の実施の形態による電子カメラの概要を説明するブロック図である。
【図２】（ａ）連続の写真の１コマ目の場合の副画像データによる再生画像の例を示す図である。
（ｂ）連続の写真の２コマ目の場合の副画像データによる再生画像の例を示す図である。
（ｃ）連続の写真の３コマ目の場合の副画像データによる再生画像の例を示す図である。
【図３】ＣＰＵによって行われる撮影処理の流れを説明するフローチャートである。
【図４】（ａ）従来技術による電子カメラで撮影した連続写真の２コマ目の副画像データによる再生画像の例を示す図である。
（ｂ）従来技術による電子カメラで撮影した連続写真の３コマ目の副画像データによる再生画像の例を示す図である。
【図５】データファイルを記録するフォルダ構造を説明する図である。
【図６】ＣＰＵによって行われる表示処理の流れを説明するフローチャートである。
【図７】（ａ）所定色のデータ部分を重ねて表示する一覧表示の例を示す図である。
（ｂ）所定色のデータ部分を重ねて表示する一覧表示の例を示す図である。
【符号の説明】
１１…撮像素子、                    １２…Ａ／Ｄ変換回路、
１３…画像処理回路、                １４…タイミング発生回路、
１５…ＣＰＵ、                      １６…ＲＡＭ、
１７…フラッシュメモリ、            １８…操作部材、
１９…記録媒体、                    ２０…表示回路、
２１…ＬＣＤモニタ
【図１】
2005012517.tif 000003
【図２】
2005012517.tif 000004
【図３】
2005012517.tif 000005
【図４】
2005012517.tif 000006
【図５】
2005012517.tif 000007
【図６】
2005012517.tif 000008
【図７】
2005012517.tif 000009